(57)【要約】本発明は、通信ネットワーク内でのモバイル端末の位置を追跡するための方法に関する。さらに本発明は、本発明のさまざまな実施の形態に従った方法の個々のステップを内部で実行することが可能な通信ネットワーク及び装置に関する。モビリティ関連シグナリングによって課せられるシグナリング負荷を低減させるために、本発明は、モバイル端末をいわゆるモビリティ・グループにグループ化すること、及びモビリティ・グループごとに位置更新を実行することによってシグナリング・オーバヘッドを低減させることを提案する。本発明の例示的な一実施の形態では、これは、モビリティ・グループ内のモバイル端末のうちの１つのみが、グループを代表してモビリティ・グループに関する位置更新をトリガするために、グループ位置更新を送信することによって実現される。別の方法としては、本発明の他の実施の形態では、信頼ネットワーク・オペレータ又は制御エンティティが、グループを代表してモビリティ・グループに関する位置更新をトリガするために、グループ位置更新を送信する。【選択図】図２
2009538583.tif 000002
【特許請求の範囲】
【請求項１】
通信ネットワーク内でのモバイル端末の位置を追跡するための方法であって、
モビリティ管理エンティティで、モバイル端末をモビリティ・グループに割り当て、前記モバイル端末にそれらのモビリティ・グループ・メンバーシップについて通知するステップと、
前記通信ネットワークのサービス提供モビリティ管理エンティティで、前記モビリティ・グループのモバイル端末又は信頼ネットワーク・オペレータ又は制御エンティティから、前記モビリティ・グループに関するグループ位置更新を受け取り、前記グループ位置更新に基づいて、前記モビリティ・グループの前記モバイル端末の位置を更新するステップとを、
有する方法。
【請求項２】
信頼ネットワーク・オペレータ又は制御エンティティによって、前記エンティティに近接したモバイル端末の端末識別子をスキャンするステップと、前記スキャンされた識別子を前記モビリティ管理エンティティに提供するステップとを更に有する請求項１に記載の方法。
【請求項３】
それぞれの端末識別子によって識別された前記モバイル端末を、前記信頼ネットワーク・オペレータ又は制御エンティティに関連付けられたモビリティ・グループに割り当てるステップを更に有する請求項２に記載の方法。
【請求項４】
前記識別されたモバイル端末に、それらが割り当てられた前記モビリティ・グループについて通知するステップを更に有する請求項３に記載の方法。
【請求項５】
前記グループ位置更新が、前記信頼ネットワーク・オペレータ又は制御エンティティによって、前記サービス提供モビリティ管理ノードに伝送される請求項２から４のいずれか１つに記載の方法。
【請求項６】
それぞれのモバイル端末の移動パターンを決定するステップと、前記モバイル端末を前記移動パターンに基づいてモビリティ・グループに割り当てるステップとを更に有する請求項１から４のいずれか１つに記載の方法。
【請求項７】
前記移動パターンが、前記それぞれのモバイル端末の位置更新を追跡する前記モビリティ管理エンティティによって決定される請求項６に記載の方法。
【請求項８】
前記位置更新が、
前記位置更新を送信する時点で／前に、前記モバイル端末がビーコン信号を受け取るか、又は受け取った少なくとも１つの無線セルのうちの少なくとも１つの無線セルＩＤと、前記それぞれの無線セル内での無線セル滞在時間と、最終の位置更新を送信してからの訪問先無線セル内での平均無線セル滞在時間とのうちの少なくとも１つのインジケーションを備える請求項５又は６に記載の方法。
【請求項９】
類似の移動パターンを有するモバイル端末が同じモビリティ・グループに割り当てられる請求項６から８のいずれか１つに記載の方法。
【請求項１０】
前記モビリティ・グループのグループ識別子をブロードキャスト又はマルチキャストするステップと、
前記モビリティ管理エンティティで、前記グループ識別子及びモバイル端末識別子を備える登録メッセージをモバイル端末から受け取るステップとを、
更に有し、
前記モビリティ管理エンティティが、前記グループ識別子によって識別された前記モビリティ・グループに前記モバイル端末を割り当てる請求項１から９のいずれか１つに記載の方法。
【請求項１１】
グループ識別子を備える登録メッセージをモバイル端末から受け取るステップを更に有し、前記モビリティ管理エンティティが、前記グループ識別子によって識別されたモビリティ・グループに前記モバイル端末を割り当てる請求項１から１０のいずれか１つに記載の方法。
【請求項１２】
前記モビリティ管理エンティティで、モバイル端末からグループ登録取り消しを受け取るステップと、それに応答して、前記モバイル端末を前記モビリティ・グループから登録取り消しするステップとを更に有する請求項１から１１のいずれか１つに記載の方法。
【請求項１３】
モビリティ・グループに属する前記モバイル端末から選択されたモバイル端末のみが、すべてのモビリティ・グループ・メンバーに関するグループ位置更新をサービス提供モビリティ管理エンティティに提供する請求項１から１２のいずれか１つに記載の方法。
【請求項１４】
あるモビリティ・グループに属する前記モバイル端末が、すべてのモビリティ・グループ・メンバーに関するグループ位置更新をサービス提供モビリティ管理エンティティにランダムに提供する請求項１から１２のいずれか１つに記載の方法。
【請求項１５】
前記サービス提供モビリティ管理エンティティにより、前記グループ位置更新に関する確認を前記モビリティ・グループ・メンバーに送信するステップを更に有する請求項１から１４のいずれか１つに記載の方法。
【請求項１６】
前記モビリティ・グループに割り当てられた前記モバイル端末に関する前記ユーザ・プレーン・ルートを再構成するステップを更に有する請求項１から１５のいずれか１つに記載の方法。
【請求項１７】
前記ユーザ・プレーン・ルートが、前記モビリティ・グループの前記モバイル端末に前記ユーザ・プレーン・データをルーティングする責務を負う前記サービス提供ユーザ・プレーン・エンティティの変更時に再構成される請求項１６に記載の方法。
【請求項１８】
グループ位置更新の受け取り時に、モビリティ関連コンテキストを、以前のモビリティ管理エンティティから前記サービス提供モビリティ管理エンティティへと転送するステップを更に有する請求項１から１７のいずれか１つに記載の方法。
【請求項１９】
グループ位置更新の受け取り時に、ルーティング関連コンテキストを、以前のユーザ・プレーン・エンティティから前記サービス提供ユーザ・プレーン・エンティティへと転送するステップを更に有する請求項１から１８のいずれか１つに記載の方法。
【請求項２０】
前記モバイル端末コンテキストの転送が、前記グループ位置更新内に含まれる前記グループ識別子を少なくとも備えるメッセージを前記以前のモビリティ管理エンティティに送信することにより、前記サービス提供モビリティ管理エンティティによって開始される請求項１８又は１９に記載の方法。
【請求項２１】
前記以前のモビリティ管理エンティティの識別子を前記グループ位置更新に含めることによって、又は前記グループ位置更新内に示された以前の位置を解析することによって、前記以前のモビリティ管理エンティティを識別するステップを更に有する請求項１８から２０のいずれか１つに記載の方法。
【請求項２２】
通信ネットワーク内でのモバイル端末の位置を追跡するための方法であって、前記モバイル端末を少なくとも１つのモビリティ・グループにグループ化するステップと、モビリティ・グループごとに位置更新を実行するステップとを有する方法。
【請求項２３】
モビリティ・グループ内の前記モバイル端末のうちの１つのみが、前記グループを代表して前記モビリティ・グループに関する位置更新をトリガするために、グループ位置更新を送信する請求項２２に記載の方法。
【請求項２４】
信頼ネットワーク・オペレータ又は制御エンティティが、前記グループを代表して前記モビリティ・グループに関する前記位置更新をトリガするために、グループ位置更新を送信する請求項２２に記載の方法。
【請求項２５】
通信ネットワーク内でのモバイル端末の位置を追跡するための装置であって、
端末をモビリティ・グループに割り当てるための処理ユニットと、
前記モバイル端末にそれらのモビリティ・グループ・メンバーシップについて通知するための送信機と、
前記モビリティ・グループのモバイル端末、あるいは信頼ネットワーク・オペレータ又は制御エンティティから、前記モビリティ・グループに関するグループ位置更新を受け取るための受信機とを、
有し、
前記処理ユニットが、前記グループ位置更新に基づいて、前記モビリティ・グループの前記モバイル端末の位置を更新するように動作可能である装置。
【請求項２６】
請求項１から２４のいずれか１つに記載の方法のステップを実行するように動作可能である請求項２５に記載の装置。
【請求項２７】
通信ネットワーク内でのモバイル端末の位置を追跡するための通信システムであって、前記通信システムが、前記モバイル端末を少なくとも１つのモビリティ・グループにグループ化するように、及び位置更新をモビリティ・グループごとに実行するように動作可能である通信システム。
【請求項２８】
モバイル端末の地理的位置を追跡できるようにするために、位置エリアに分割されている通信ネットワークで使用するためのモバイル端末であって、
前記モバイル端末が割り当てられるモビリティ・グループのインジケーションを受信するため、又はモビリティ・グループを選択するための手段と、
前記通信システム内での前記位置エリアの変更を決定するための処理ユニットと、
前記モビリティ・グループ・メンバーに関する位置更新をトリガするために、前記モビリティ・グループの識別子を含むグループ位置更新を送信するための送信機とを、
有するモバイル端末。
【請求項２９】
請求項１から２４のいずれか１つに記載の方法のステップのうちの少なくともいくつかを実行するように動作可能である請求項２８に記載のモバイル端末。
【請求項３０】
モビリティ制御装置のプロセッサによって実行された場合、
モビリティ管理エンティティでモバイル端末をモビリティ・グループに割り当てること、
前記モバイル端末にそれらのモビリティ・グループ・メンバーシップについて通知すること、
通信ネットワークのサービス提供モビリティ管理エンティティで、モビリティ・グループのモバイル端末、あるいは前記モビリティ・グループの前記モバイル端末に近接する信頼ネットワーク・オペレータ又は制御エンティティから、前記モビリティ・グループに関するグループ位置更新を受信すること、及び、
前記グループ位置更新に基づいて前記モビリティ・グループの前記モバイル端末の位置を更新すること、
によって、前記通信ネットワーク内でのモバイル端末の位置を装置に追跡させる命令を格納するコンピュータ読み取り可能媒体。
【請求項３１】
前記プロセッサによって実行された場合、請求項１から２４のいずれか１項に記載の方法のステップのうちの少なくともいくつかを装置に実行させる命令を更に格納する請求項３０に記載のコンピュータ読み取り可能媒体。
【請求項３２】
モバイル端末の地理的位置を追跡できるようにするために、位置エリアに分割されている通信ネットワークで使用するためのモバイル端末によって実行された場合、
前記モバイル端末が割り当てられたモビリティ・グループのインジケーションを受信すること、又はモビリティ・グループを選択すること、
前記通信システム内の前記位置エリアの変更を決定すること、及び、
前記モビリティ・グループ・メンバーに関する位置更新をトリガするために、前記モビリティ・グループの識別子を含むグループ位置更新を送信すること、
によって、前記モバイル端末に位置更新をトリガさせる命令を格納するコンピュータ読み取り可能媒体。
【請求項３３】
前記プロセッサによって実行された場合、請求項１から２４のいずれか１項に記載の方法のステップのうちの少なくともいくつかを前記モバイル端末に実行させる命令を更に格納する請求項３０に記載のコンピュータ読み取り可能媒体。
【発明の詳細な説明】
【技術分野】
【０００１】
本発明は、通信ネットワーク内でのモバイル端末の位置を追跡するための方法に関する。さらに、本発明は、本発明の様々な実施の形態に従って、方法の個々のステップを実行することが可能な通信ネットワーク及びその内部の装置にも関する。
【背景技術】
【０００２】
モバイル通信ネットワーク内で端末が移動するためには、端末が到達可能でいるための位置の更新が必要である。ネットワーク内での端末の現在位置は、モビリティ管理エンティティに格納され、この位置が変更されるごとに、モバイル端末はこのモビリティ管理エンティティに位置更新メッセージを送信する。その後、端末を宛先とするダウンリンク・パケットを現在位置に配送することができる。
【０００３】
例えば、ＩＰベースのネットワークでは、モバイルＩＰは、例示的なモビリティ・サポート・プロトコルである。このプロトコルでのモビリティ管理エンティティは、ホーム・エージェント（ＨＡ）と呼ばれ、モバイル端末が移動して新しいサブネットに接続した場合、新しいＩＰアドレスを構成し、このＩＰアドレスを気付けアドレス（ＣｏＡ）としてＨＡに登録する。ＩＥＴＦ  ＲＦＣ  ３７７５「Ｍｏｂｉｌｉｔｙ  Ｓｕｐｐｏｒｔ  ｉｎ  ＩＰｖ６」及びＩＥＴＦ  ＲＦＣ  ３３４４「ＩＰ  Ｍｏｂｉｌｉｔｙ  Ｓｕｐｐｏｒｔ  ｆｏｒ  ＩＰｖ４」（ｈｔｔｐ：／／ｗｗｗ．ｉｅｔｆ．ｏｒｇで入手可能）では、それぞれ、ＩＰｖ６及びＩＰｖ４ネットワークのためのＩＰベースのネットワークにおけるＩＰモビリティ・サポートに関するプロトコル機構について記載されており、どちらも参照により本明細書に組み込むものとする。
【０００４】
セルラ・ネットワークにおけるモビリティ管理（例えば、ＵＭＴＳ）について考えてみると、端末がいわゆる位置更新を実行する。セルラ・ネットワークは、通常、個々の又は複数の無線セルがいわゆる位置エリアを形成することができるセルラ構造を有する。ネットワークは、端末が現在位置しているセル及び位置エリアに関する情報を端末に提供する。通常これは、端末がそれぞれの情報を引き出すことができる無線セル内でシステム情報をブロードキャストすることによって達成される。
【０００５】
端末は、格納された位置エリアとネットワークから受け取った位置エリアとを比較することができ、端末はこの位置エリアの変更を検出すると必ず、位置更新手順を実行する。
【０００６】
ＵＭＴＳの例示的ケースでは、端末は、その一時識別及び古いルーティング・エリア識別を含む、いわゆるルーティング・エリア更新要求メッセージをＳｅｒｖｉｎｇ  ＧＰＲＳ  Ｓｕｐｐｏｒｔ  Ｎｏｄｅ（ＳＧＳＮ）に送信し、Ｓｅｒｖｉｎｇ  Ｒａｄｉｏ  Ｎｅｔｗｏｒｋ  Ｃｏｎｔｒｏｌｌｅｒ（ＳＲＮＣ）が現在のエリアのルーティング・エリア識別をメッセージに追加する。アイドル・モードでのＳＧＳＮ間ルーティング・エリア更新の場合、新しいＳＧＳＮは古いＳＧＳＮにコンテキスト情報を要求することになる（詳細については、参照により本明細書に組み込むものとする、３ＧＰＰ  ＴＳ  ２３．０６０：「Ｇｅｎｅｒａｌ  Ｐａｃｋｅｔ  Ｒａｄｉｏ  Ｓｅｒｖｉｃｅ（ＧＰＲＳ）；Ｓｔａｇｅ  ２（Ｒｅｌｅａｓｅ  ７）」バージョン７．０．０、セクション６．９．２を参照のこと）。
【０００７】
進化した３ＧＰＰシステム・アーキテクチャ（ｈｔｔｐ：／／ｗｗｗ．３ｇｐｐ．ｏｒｇで入手可能であり、参照により本明細書に組み込むものとする、３ＧＰＰ  ＴＲ  ２３．８８２：「３ＧＰＰ  Ｓｙｓｔｅｍ  Ａｒｃｈｉｔｅｃｔｕｒｅ  Ｅｖｏｌｕｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ」、バージョン１．０．０を参照のこと）では、進化したＵＭＴＳシステムにおいてモバイル端末の追跡に使用するための、類似の機構が提案されている。ここでモバイル端末は、図１に例示的に示されたようにトラッキング・エリアが変更された場合、いわゆるトラッキング・エリア登録メッセージをＭＭＥ／ＵＰＥに送信することになる。
【０００８】
３ＧＰＰ  ＴＲ  ２３．８８２に記載されたアーキテクチャでは、モビリティ管理エンティティ（ＭＭＥ）がＵＥコンテキスト（アイドル状態の場合、ＵＥ／ユーザ識別、ＵＥモビリティ状態、ユーザ・セキュリティ・パラメータ）を管理及び格納し、一時識別を生成して、それらをＵＥに割り振る。これで、ＵＥがＴＡ又はＰＬＭＮにキャンプ・オンすることができるか否かの許可をチェックする。また、これで、ユーザを認証する。
【０００９】
ユーザ・プレーン・エンティティ（ＵＰＥ）は、アイドル状態のＵＥの場合、ダウンリンクのデータ・パスを終了し、ダウンリンク・データが到着した場合、ＵＥに対するページングをトリガ／開始する。さらにＵＰＥは、例えば、ＩＰベアラ・サービスのパラメータ又はネットワーク内部ルーティング情報などのＵＥコンテキストを管理及び格納する。さらに、ＵＰＥは、インターセプトの場合にユーザ・トラフィックの複製も実行することができる。
【００１０】
図１に示されるように、ＭＭＥ及びＵＰＥは、ネットワーク要素内に配置されるネットワーク内の機能エンティティを定義する。ＭＭＥ／ＵＰＥ１０２、１０３は、３ＧＰＰ無線アクセス・システムに接続され、このシステムが、進化したＵＭＴＳシステムの拡張ノードＢ（又はｅＮｏｄｅ  Ｂ）として示される基地局を介してＵＥにサービスを提供する。さらに、ＭＭＥ／ＵＰＥ１０２、１０３は、他のネットワークに接続を提供するＡＳ間アンカー１０１にも接続される。さらに、図１では、例示的に、３ＧＰＰ無線ＡＳによってカバーされるサービス・エリアが、ロケーション・エリアとして示すこともできる異なるトラッキング・エリア（ＴＡ）１０４、１０５、１０６にセグメント化されることが想定される。
【００１１】
ＵＥは１つのＴＡから別のＴＡに変更するごとに、図１に示されるようなサービス提供ＭＭＥへのトラッキング・エリア登録手順（又は更新）を実行する。
【００１２】
例えば、ＵＥ１０７、１０８、１０９が、トラッキング・エリア１０４へ移動した（及びサービス提供ＭＭＥ／ＵＰＥが変更されたと想定する）場合、ＵＥ１０７、１０８、１０９はそれぞれ、新しいサービス提供ＭＭＥ／ＵＰＥ１０２へのトラッキング・エリア登録手順を開始することになる。ＭＭＥ／ＵＰＥが変更されているため、ＡＳ間アンカー１０１と新しいＭＭＥ／ＵＰＥ１０２との間でのユーザ・プレーン・ルートの更新も実行される。ＵＥ１０７、１０８、１０９は一緒にトラッキング・エリア１０５へと移動し、ここで再度、サービス提供ＭＭＥ／ＵＰＥ１０２へのトラッキング・エリア登録手順を個々に実行する。さらに、ＵＥ１０７、１０８、１０９がトラッキング・エリア１０６へと移動すると、ＵＥ１０７、１０８、１０９は、新しいサービス提供ＭＭＥ／ＵＰＥ１０３へのトラッキング・エリア登録手順を再度実行し、サービス提供ＵＰＥが変更されているため、この新しいサービス提供ＭＭＥ／ＵＰＥ１０３も、ＵＥ１０７、１０８、１０９それぞれについて、ＡＳ間アンカー１０１とのユーザ・プレーン・ルートの更新を開始することになる。
【００１３】
いくつかのモバイル端末が一緒に移動する場合（例えば、列車内の乗客の端末）、トラッキング・エリアが変更されるごとに、あらゆる単一の端末がトラッキング・エリア登録を送信し、トラッキング・エリア登録確認を受信するため、シグナリング・メッセージの溢れが発生する。
【非特許文献１】ＩＥＴＦ  ＲＦＣ  ３７７５「Ｍｏｂｉｌｉｔｙ  Ｓｕｐｐｏｒｔ  ｉｎ  ＩＰｖ６」
【非特許文献２】ＩＥＴＦ  ＲＦＣ  ３３４４「ＩＰ  Ｍｏｂｉｌｉｔｙ  Ｓｕｐｐｏｒｔ  ｆｏｒ  ＩＰｖ４」
【非特許文献３】３ＧＰＰ  ＴＳ  ２３．０６０：「Ｇｅｎｅｒａｌ  Ｐａｃｋｅｔ  Ｒａｄｉｏ  Ｓｅｒｖｉｃｅ（ＧＰＲＳ）；Ｓｔａｇｅ  ２（Ｒｅｌｅａｓｅ  ７）」バージョン７．０．０、セクション６．９．２
【非特許文献４】３ＧＰＰ  ＴＲ  ２３．８８２：「３ＧＰＰ  Ｓｙｓｔｅｍ  Ａｒｃｈｉｔｅｃｔｕｒｅ  Ｅｖｏｌｕｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ」、バージョン１．０．０
【発明の開示】
【発明が解決しようとする課題】
【００１４】
本発明の目的は、モビリティ関連シグナリングによって課せられるシグナリング負荷を減少させることである。
【課題を解決するための手段】
【００１５】
この目的は、独立請求項の主題によって解決される。本発明の有利な実施の形態は、従属請求項の主題である。
【００１６】
本発明の主となる一態様は、モバイル端末をいわゆるモビリティ・グループにグループ化すること、及びモビリティ・グループごとに位置更新を実行することによってシグナリング・オーバヘッドを低減させることである。本発明の例示的な一実施の形態では、これは、モビリティ・グループ内のモバイル端末のうちの１つのみが、グループを代表してモビリティ・グループに関する位置更新をトリガするために、グループ位置更新を送信することによって実現される。別の方法としては、本発明の他の実施の形態では、信頼ネットワーク・オペレータ又は制御エンティティが、グループを代表してモビリティ・グループに関する位置更新をトリガするために、グループ位置更新を送信する。
【００１７】
本発明の他の実施の形態によれば、通信ネットワーク内でのモバイル端末の位置を追跡するための方法が提供され、ここではモビリティ管理エンティティがモバイル端末をモビリティ・グループに割り当て、モバイル端末にそれらのモビリティ・グループ・メンバーシップについて通知する。さらに、通信ネットワークのサービス提供モビリティ管理エンティティは、モビリティ・グループのモバイル端末又は信頼ネットワーク・オペレータ又は制御エンティティから、モビリティ・グループに関するグループ位置更新を受け取ることができ、このグループ位置更新に基づいて、モビリティ・グループのモバイル端末の位置を更新する。グループ化を実行し、そこにあるモバイル端末に通知するモビリティ管理エンティティは、位置エリアを変更した時点でモバイル端末にサービスを提供しているモビリティ管理エンティティでない場合があることに留意されたい。
【００１８】
本発明の他の実施の形態では、信頼ネットワーク・オペレータ又は制御エンティティは、近接したモバイル端末の識別子をスキャンすることができ、スキャンされた識別子をモビリティ管理エンティティに提供する。
【００１９】
信頼ネットワーク・オペレータ又は制御エンティティから取得されたこの情報は、例えば、それらのそれぞれの端末識別子によって識別されたモバイル端末を、本発明の他の実施の形態に従って信頼ネットワーク・オペレータ又は制御エンティティに関連付けられたモビリティ・グループに割り当てるために使用することができる。
【００２０】
上記のように、本発明の他の実施の形態では、信頼ネットワーク・オペレータ又は制御エンティティによって、グループ位置更新をサービス提供モビリティ管理ノードに伝送することができる。
【００２１】
本発明の他の実施の形態では、それぞれのモバイル端末の移動パターンを決定することができ、モバイル端末はこの移動パターンに基づいてモビリティ・グループに割り当てられる。例えば、移動パターンは、それぞれのモバイル端末の位置更新を追跡するモビリティ管理エンティティによって決定される。
【００２２】
移動パターンの決定が端末によって有利にサポートされる本発明の他の実施の形態では、位置更新は、位置更新を送信する時点で／前に、モバイル端末がビーコン信号を受け取るか、又は受け取った少なくとも１つの無線セルのうちの少なくとも１つの無線セルＩＤのインジケーションと、それぞれの無線セル内での無線セル滞在時間と、最終の位置更新を送信してからの訪問先無線セル内での平均無線セル滞在時間とを備える。
【００２３】
本発明の他の実施の形態では、類似の移動パターンを有するモバイル端末は同じモビリティ・グループに割り当てられる。
【００２４】
本発明の他の実施の形態は、モバイル端末によるモビリティ・グループ選択に関する。この実施の形態では、モビリティ・グループのグループ識別子はブロードキャスト又はマルチキャストされる。モビリティ管理エンティティは、グループ識別子及びモバイル端末識別子を備える登録メッセージをモバイル端末から受け取ることができ、モビリティ管理エンティティは、グループ識別子によって識別されたモビリティ・グループにモバイル端末を割り当てる。
【００２５】
本発明の代替実施の形態では、グループ識別子を備える登録メッセージがモバイル端末から受け取られ、モビリティ管理エンティティはグループ識別子によって識別されたモビリティ・グループにモバイル端末を割り当てる。
【００２６】
さらに、本発明の他の実の施形態によれば、モビリティ管理エンティティはモバイル端末からグループ登録取り消しを受け取り、それに応答して、そのモバイル端末をそのモビリティ・グループから登録取り消しする。
【００２７】
本発明の例示的な実施の形態によれば、モビリティ・グループに属するモバイル端末から選択されたモバイル端末のみが、すべてのモビリティ・グループ・メンバーに関するグループ位置更新をサービス提供モビリティ管理エンティティに提供することができる。
【００２８】
別の方法としては、本発明の他の例示的な実施の形態では、あるモビリティ・グループに属するモバイル端末は、すべてのモビリティ・グループ・メンバーに関するグループ位置更新を、サービス提供モビリティ管理エンティティにランダムに提供する。
【００２９】
サービス提供モビリティ管理エンティティでグループ位置更新を受け取ると、同じく、グループ位置更新に関する確認をモビリティ・グループ・メンバーに有利に送信することができる。
【００３０】
さらに、例えば、位置エリアの変更によって、モビリティ・グループの端末宛に送信されるデータのユーザ・プレーン・ルートが変更された場合、モビリティ・グループに割り当てられたモバイル端末に関するユーザ・プレーン・ルートは、本発明の他の実施の形態に従って再構成することができる。特に、ユーザ・プレーン・ルートに対するこの更新は、モビリティ・グループのモバイル端末にユーザ・プレーン・データをルーティングする責務を負うサービス提供ユーザ・プレーン・エンティティを変更する際に有利な場合がある。
【００３１】
本発明の他の実施の形態では、グループ位置更新の受け取り時に、モビリティ関連コンテキストを、以前のモビリティ管理エンティティからサービス提供モビリティ管理エンティティへと転送することができる。この動作は、例えば、新しい位置エリアに入る際、モビリティ・グループのサービス提供モビリティ管理エンティティが変更された場合に有利な場合がある。
【００３２】
本発明の他の実施の形態では、グループ位置更新の受け取り時に、ルーティング関連コンテキストを、以前のユーザ・プレーン・エンティティからサービス提供ユーザ・プレーン・エンティティへと転送することができる。これは、位置エリアの変更によってサービス提供ユーザ・プレーン・エンティティが変更された場合に有利な場合がある。
【００３３】
さらにこれは、グループ位置更新内に含まれるグループ識別子を少なくとも備えるメッセージを以前のモビリティ管理エンティティに送信することによって、モバイル端末コンテキストの転送が、サービス提供モビリティ管理エンティティによって開始された場合にも有利な場合がある。
【００３４】
本発明の他の実施の形態では、以前のモビリティ管理エンティティの識別子をグループ位置更新に含めることによって、又はグループ位置更新内に示された以前の位置を解析することによって、以前のモビリティ管理エンティティを識別することができる。
【００３５】
本発明の他の実施の形態は、通信ネットワーク内でのモバイル端末の位置を追跡するための装置を提供する。この装置は、モバイル端末をモビリティ・グループに割り当てるための処理ユニットと、モバイル端末にそれらのモビリティ・グループ・メンバーシップについて通知するための送信機とを備えることができる。
【００３６】
さらにこの装置は、通信ネットワークのサービス提供モビリティ管理エンティティで、モビリティ・グループのモバイル端末、あるいは信頼ネットワーク・オペレータ又は制御エンティティから、モビリティ・グループに関するグループ位置更新を受け取るための受信機も備えることができる。さらに処理ユニットは、グループ位置更新に基づいて、モビリティ・グループのモバイル端末の位置を更新するように動作可能である。
【００３７】
本発明の他の実施の形態は、上記種々の実施の形態に従って、モバイル端末の位置を追跡するための方法のステップを実行するように動作可能な装置に関する。
【００３８】
さらに、本発明の例示的な実施の形態は、通信ネットワーク内でのモバイル端末の位置を追跡するための通信システムに関する。通信システムは、モバイル端末を少なくとも１つのモビリティ・グループにグループ化するように、及び位置更新をモビリティ・グループごとに実行するように動作可能な場合がある。
【００３９】
本発明の他の例示的な実施の形態は、モバイル端末の地理的位置を追跡できるようにするために、位置エリアに分割されている通信ネットワークで使用するためのモバイル端末を提供する。このモバイル端末は、モバイル端末が割り当てられるモビリティ・グループのインジケーションを受信するため、又はモビリティ・グループを選択するための手段と、通信システム内での位置エリアの変更を決定するための処理ユニットと、それによってモビリティ・グループ・メンバーに関する位置更新をトリガするために、モビリティ・グループの識別子を含むグループ位置更新を送信するための送信機とを備える。
【００４０】
本発明の他の実施の形態では、モバイル端末は、本明細書に記載された本発明の様々な実施の形態のうちの１つに従って、モバイル端末の位置を追跡するための方法のステップのうちの少なくともいくつかで実行するように動作可能である。
【００４１】
さらに、他の実施の形態によれば、本発明は、モビリティ制御装置のプロセッサによって実行された場合、モビリティ管理エンティティでモバイル端末をモビリティ・グループに割り当てること、モバイル端末にそれらのモビリティ・グループ・メンバーシップについて通知すること、通信ネットワークのサービス提供モビリティ管理エンティティで、モビリティ・グループのモバイル端末、あるいはモビリティ・グループのモバイル端末に近接する信頼ネットワーク・オペレータ又は制御エンティティから、モビリティ・グループに関するグループ位置更新を受信すること、及びグループ位置更新に基づいてモビリティ・グループのモバイル端末の位置を更新することによって、通信ネットワーク内でのモバイル端末の位置を装置に追跡させる命令を格納するコンピュータ読み取り可能媒体も提供する。
【００４２】
本発明の有利な実施の形態に従ったコンピュータ読み取り可能媒体は、プロセッサによって実行された場合、本明細書に記載された本発明の種々の実施の形態のうちの１つに従ってモバイル端末の位置を追跡するための方法のステップのうちの少なくともいくつかを装置に実行させる命令を更に格納する。
【００４３】
本発明の他の実施の形態は、モバイル端末の地理的位置を追跡できるようにするために、位置エリアに分割されている通信ネットワークで使用するためのモバイル端末によって実行された場合、モバイル端末が割り当てられたモビリティ・グループのインジケーションを受信すること、又はモビリティ・グループを選択すること、通信システム内の位置エリアの変更を決定すること、及びモビリティ・グループ・メンバーに関する位置更新をそれによってトリガするために、モビリティ・グループの識別子を含むグループ位置更新を送信することによって、モバイル端末に位置更新をトリガさせる命令を格納するコンピュータ読み取り可能媒体に関する。
【００４４】
また、このコンピュータ読み取り可能媒体は、オプションで、プロセッサによって実行された場合、本明細書に記載された本発明の種々の実施の形態のうちの１つに従って、モバイル端末の位置を追跡するための方法のステップのうちの少なくともいくつかを装置に実行させる命令を更に格納することもできる。
【００４５】
以下で、添付の図面を参照しながら本発明について詳細に説明する。図面中では、類似の又は対応する細部には同じ参照番号でマーク付けされている。
【発明を実施するための最良の形態】
【００４６】
以下の段落では、本発明の種々の実施の形態について説明する。単なる例示の目的で、ほとんどの実施の形態は（進化した）ＵＭＴＳ通信システムに関して概説されており、後続の項で使用される用語は、主にＵＭＴＳ用語に関する。しかし、ＵＭＴＳアーキテクチャに関する実施の形態の用語及び説明は、本発明の原理及び観念をこうしたシステムに限定することを意図するものではない。
【００４７】
また、上記の「背景技術」の項のところに示された詳細な説明は、以下で説明される主にＵＭＴＳ特有の例示的な実施の形態をより良く理解してもらうことを意図しており、本発明をモバイル通信ネットワークにおけるプロセス及び機能の説明された特定の実施態様に限定するものとして理解されるべきではない。それでもなお、本明細書で提案された改良点は、「背景技術」の項で説明されたアーキテクチャ／システムにおいて容易に適用可能である。
【００４８】
本発明の主な一態様は、いわゆるモビリティ・グループへのモバイル端末のグループ化、及びモビリティ・グループごとの位置更新の実行である。以下でさらに例示的に説明するように、モバイル端末は、それらの移動パターンに基づいて、端末の選択に基づいて、又は信頼ネットワーク・オペレータ又は制御エンティティに近接したそれらの位置に基づいてグループ化することが有利な場合がある。
【００４９】
さらに、あるモビリティ・グループへのメンバーシップに関して端末に通知することも有利な場合がある。モビリティ・グループが移動し、トラッキング・エリア（又は位置エリア）が変更された場合、位置更新を実行するための異なる機構が提案されることになる。例えば、モビリティ・グループ、又はモビリティ・グループにサービスを提供する信頼ネットワーク・オペレータ又は制御エンティティ内の１つの端末のみが、グループを代表して、ネットワーク内のそれぞれのサービス提供モビリティ管理エンティティに位置エリア更新を送信することができる。
【００５０】
グループ位置更新の確認が予測される場合、ネットワークからの確認メッセージをモビリティ・グループのすべてのメンバーにマルチキャスト又はブロードキャストすることができる。
【００５１】
それ故、本発明との関連において、モビリティ・グループとは、通信ネットワークの位置エリアを通して一緒に移動することが予測されるユーザのグループのことである。
【００５２】
上記のように、通信ネットワークは、いわゆる位置エリア（又は本明細書では同義語として使用されるトラッキング・エリア）に断片化／分割されるものと想定することもできる。通常、これらの位置エリアは、例えば、サービスが端末に提供される場合、又は端末をページングする場合、モバイル端末位置を追跡するため、及びデータを端末に送るために、通信ネットワークによって使用されるが、これに限定されることはない。従って、モビリティ・グループの移動によって、グループの端末は新しい位置エリアに入る場合があり、システムの到達可能性を維持するためにこの新しい位置エリアを登録することができる。
【００５３】
この点で、本発明は、例えば、第１のアクセス技術を使用するネットワークから他のアクセス技術を使用する他のネットワークへのハンドオーバ時に位置エリア更新が必要な場合がある異種ネットワークで使用することができることにも留意されたい。例えば、空港へ向かう列車を考えた場合、列車内のモバイル端末は、それらが列車上に位置する限り一緒に移動すると予測することができる。列車上では、端末には、例えば、３ＧＰＰベース・ネットワークなどのモバイル通信ネットワークによってサービスを提供することができる。ＷＬＡＮアクセスを提供する空港に到着した場合、端末はＷＬＡＮアクセスに切り替えることを決定し、それによって位置エリアを変更することができる。また、この異種ネットワークにおけるアクセス間技術ハンドオーバでは、本明細書で概説される異なる実施の形態に従ったグループ位置更新手順の使用によって、オーバヘッド・シグナリングを削減することができる。
【００５４】
同様に、モバイルＩＰネットワークで本発明を使用する場合、例えば、グループが訪問先ネットワークに移動しているか、又はこれに接続していれば、ドメインの変更時に位置更新を実行することができる。
【００５５】
さらに、本発明との関連において、位置更新はいわゆるモビリティ管理エンティティによって登録される。エンティティという用語は、モビリティ管理エンティティが、特定のネットワーク要素におけるその物理的位置とは無関係の機能エンティティであると想定されることを示すものと意図される。従って、モビリティ管理エンティティは、例えば、モバイルＩＰアプリケーションの訪問先ネットワークのドメイン内などの通信システムのアクセス又はコア・ネットワークのネットワーク要素内に位置することができる。
【００５６】
上記の「背景技術」の項のところで説明したような拡張ＵＭＴＳシステムでは、エンティティはＭＭＥに対応し、無線アクセス・ネットワークのネットワーク要素内に位置することができる。さらにこれは、オプションでＵＰＥと一緒に配置することができる。
【００５７】
本発明の概念について、以下で図２を参照しながら例示的に概説する。図２は、本発明の実施の形態に従った、モバイル端末（ＵＥ）のモビリティ・グループへのグループ化、及びモビリティ・グループに関して実行されるグループ位置更新手順を例示的に示す。図１と同様に、例示の目的で進化したＵＭＴＳシステムが想定される。追跡／位置エリアの登録も属するモビリティ管理機構を考えると、これらの機能が、通常、モビリティ管理エンティティによって実行されることになる一方で、ルーティングに関する機能はユーザ・プレーン・エンティティによって提供することができることに留意されたい。
【００５８】
一般に、モビリティ管理エンティティは、ネットワーク内の複数の位置エリアにサービスを提供することができる。同様のことが、サービス提供ユーザ・プレーン・エンティティにも当てはめることができる。しかし、場合によっては、位置エリアの変更は、モビリティ・グループの端末にデータをルーティングする責務を負う、サービス提供モビリティ管理エンティティ及び／又はサービス提供ユーザ・プレーン・エンティティ（例えば、ＵＰＥ）の変更も伴う場合がある。この例示的な実施の形態では、モビリティ管理エンティティ及びユーザ・プレーン・エンティティは、ＭＭＥ／ＵＰＥ２０２及びＭＭＥ／ＵＰＥ２０３内に配置されることになると想定される。さらに、ＭＭＥ／ＵＰＥ内に配置されたモビリティ管理エンティティ及びユーザ・プレーン・エンティティは、例えば、ＭＭＥ／ＵＰＥ２０２の場合は位置エリア２０４及び２０５、ＭＭＥ／ＵＰＥ２０２の場合は位置エリア２０６などの３ＧＰＰベースのアクセス・ネットワークの同じ部分にサービスを提供することも想定可能である。
【００５９】
第一に、ＵＥ２０７、２０８、２０９は、それらがネットワークを通して一緒に移動するものと想定された場合、モビリティ・グループにグループ化される。モビリティ・グループの端末が位置エリア２０４に入ると、サービス提供ＭＭＥ／ＵＰＥ２０２を使用したモビリティ・グループに対するグループ位置更新手順が実行される。サービス提供ＵＰＥの変更により、モビリティ・グループ・メンバー向けのルーティングも更新される必要があるため、ＡＳ間アンカー２０１を使用してグループ・ユーザ・プレーン更新を開始及び実行することができる。
【００６０】
ネットワーク内のサービス提供モビリティ管理エンティティに伝送されるグループ位置エリア更新メッセージは、モビリティ・グループ識別子を備える。モビリティ管理エンティティは、グループ・メンバーのそれぞれのモビリティ関連コンテキストを更新するように、モビリティ・グループ識別子に基づいてグループ・メンバーを決定することになる。
【００６１】
モビリティ・グループが、ここでは位置エリア２０５へ再度移動すると、ＭＭＥ／ＵＰＥ２０２を使用したグループ位置エリア更新手順が実行される。（ＭＭＥ／ＵＰＥ２０２に統合された）同じＵＰＥが位置エリア２０４及び位置エリア２０５にサービスを提供するため、今回のユーザ・プレーン・ルート更新は不要である。
【００６２】
モビリティ・グループの端末が位置エリア２０５へ再度移動すると、他のグループ位置更新が開始される。ユーザ・プレーン・エンティティが変更されるため、ユーザ・プレーン・ルート更新も実行することができ、その結果、モビリティ・グループのＵＥ２０７、２０８、２０９に向けて送られるデータは、ＡＳ間アンカー２０１から、ＵＰＥ／ＭＭＥ２０３へ、及びさらにＵＥ２０７、２０８、２０９へと、ルーティングされることになる。さらに、サービス提供モビリティ管理エンティティもＵＥ２０７、２０８、２０９へと変更されると、ＭＭＥ／ＵＰＥ２０３は以前のＭＭＥ／ＵＰＥ２０２を解析することができ、モビリティ・グループ及び個々のグループ・メンバーに関するコンテキスト情報の転送を要求することができる。
【００６３】
一般に、ネットワークを介して一緒に移動することになるモバイル端末を予測することは困難である。しかし、例えば、公共交通機関などの一部のシナリオでは、モバイル端末の移動が十分に予測できるため、一緒に移動する端末のグループ化は可能である。
【００６４】
以下の段落では、本発明の異なる実施の形態に従って、ユーザのグループの移動を考慮に入れることにより、シグナリング最適化をどのように達成することができるかを詳細に述べる。
【００６５】
第１のステップでは、モビリティ・グループを形成しなければならず、すなわち、いくつかのモバイル端末が一緒に移動することになるか、又は移動していることを検出するための機構が必要である。次のステップでは、例えば、いくつかのシグナリング・メッセージを単一のメッセージに集約することによって、シグナリング・トラフィックを最適化することができる。
【００６６】
グループの検出／登録
グループの選択／検出のための異なる機構が可能である。本発明の例示的な一実施の形態では、ユーザ・アクションが必要である。この実施の形態では、ユーザはモビリティ・グループ・メンバーシップを手動で設定することができる。例えば、ユーザは、モバイル端末メニュー駆動手段によって、グループ・モビリティ手順に関与することができる。例えば、ユーザは、グループＩＤを表す固有のコードを入力することができる。その後、端末は、グループＩＤ及び端末ＩＤ（例えば、端末の一時識別）と共に、グループ登録メッセージを、ネットワーク内のそのサービス提供モビリティ管理エンティティへと送信することができる。
【００６７】
モビリティ管理は、登録メッセージを受信すると、示されたモビリティ・グループにモバイル端末を含め、そのモビリティ・グループに関する位置更新を受信すると、端末位置エリアを更新することになる。
【００６８】
この第１の例示的シナリオでは、モビリティ・グループからの登録取り消しも同様にユーザ制御とすることができる。ユーザはモビリティ・グループから離れることを所望する場合、端末のメニューを使用して手動で登録取り消しすることができる。ユーザの対話に応答して、端末は、グループ登録取り消しメッセージをモビリティ管理エンティティに送信し、これがモビリティ・グループから端末を除去することになる。
【００６９】
本発明の他の例示的な実施の形態では、端末は無線インタフェースでブロードキャストされるグループ告知（グループＩＤを含む）を検出することができる。告知のブロードキャストは、必ずしも、位置更新が実行されることになるものと同じアクセス技術を介して提供されるとは限らない。例えば、告知はＷＬＡＮ又はＢｌｕｅｔｏｏｔｈを介して受信することができる一方で、モビリティ・グループはＵＭＴＳネットワーク内のグループ・メンバー位置の追跡に関する場合がある。
【００７０】
この実施の形態では、ユーザ対話が不要な場合がある。告知を受信した後、端末は、グループＩＤ及び端末ＩＤ（例えば、一時識別）と共にグループ登録メッセージを、モビリティ管理エンティティに送信することができる。また、端末がグループを離れた可能性があるために、グループ告知のない場合も、端末は、グループから登録取り消しするために、モビリティ管理エンティティにメッセージを自動的に送信することができる。
【００７１】
本発明の他の実施の形態では、端末に近接するエンティティを使用してグループ・モビリティが検出される。例えば、ユーザ／端末が列車内に入るシナリオを考えると、列車が出発すると、すべてのユーザの端末は位置エリア間を一緒に移動することになることが予測できる。この場合、エンティティは、列車に入る端末の識別子を集めた列車内の「固定」ネットワーク要素とすることが可能であり、共通のモビリティ・グループに対して同じものが割り当てられるように、列車に入った端末について（識別子を使用して）サービス提供モビリティ管理エンティティに通知することができる。
【００７２】
例えば、端末が個々のＲＦＩＤタグを有する場合、端末が列車内に又は鉄道の駅に入る場合、エンティティによってＲＦＩＤタグをスキャンすることができる。無線周波数識別（ＲＦＩＤ）は、ＲＦＩＤタグ又はトランスポンダと呼ばれるデバイスを使用するデータの格納及び遠隔取り出しに基づく自動識別方法である。ＲＦＩＤタグは、本発明のこの例示的な実施の形態では、モバイル端末に取り付けられるか又は組み込まれる小型の物体である。ＲＦＩＤタグは、通常、それらがＲＦＩＤトランシーバからの無線周波数照会を受信し、これに応答できるようにするための、その通信範囲内のモバイル端末のＲＦＩＤ識別子を集める上記エンティティとなるシリコン・チップ及びアンテナを含む。
【００７３】
これは、モバイル端末ＩＤを集めるエンティティがネットワーク・オペレータ制御又は信頼ネットワーク・オペレータのいずれかである場合、更に有利な場合がある。従って、ネットワーク・オペレータ制御又は信頼エンティティは、例えば、組み込み型ネットワーク要素又は特殊モバイル端末とすることができる。
【００７４】
このネットワーク・オペレータ制御又は信頼エンティティは、モバイル端末のＲＦＩＤタグからスキャンされた識別を、少なくともオペレータ制御／信頼エンティティを識別する他のＩＤと共に、オプションで、現在の位置エリアにサービスを提供するモビリティ管理エンティティに転送することができる。スキャンされた識別を受信すると、モビリティ管理エンティティは、端末の永続ＩＤ（又はネットワークによってそれらに割り当てられた対応する一時ＩＤ）を決定することができ、（マルチキャスト）グループ識別子を端末に割り当てる。この（マルチキャスト）グループ識別子を使用して、以下でさらに説明されるように、モビリティ管理エンティティは位置更新を確認することができる。
【００７５】
この実施の形態の変形では、モバイル端末はＢｌｕｅｔｏｏｔｈ使用可能であり、アドホック・ネットワークを形成する。この場合、信頼ネットワーク・オペレータの端末のうちの１つは、近隣の他のモバイル端末の識別子を集めることができ、前述と類似の機構を使用して、サービス提供モビリティ管理エンティティに通知することができる。
【００７６】
本発明の他の実施の形態では、通信ネットワークは端末の移動パターンを記録することができる。この実施の形態でもユーザ対話は不要であり、さらに言えば、モバイル端末はグループ検出に関与さえしてはならない。
【００７７】
端末の移動パターンを決定する場合、ネットワーク（例えば、サービス提供モビリティ管理エンティティ）は、ある期間、端末の位置更新を追跡することができ、２つ以上の端末が同じモビリティ・パターンを有する場合、それらは１つのモビリティ・グループに割り当てられる。オプションで、モバイル端末は、例えば、セルＩＤ、セル滞在時間などを集めること、及び位置更新時にサービス提供モビリティ管理エンティティにそれらを報告することによって、グループ検出においてネットワークを支援することができる。この情報に基づいて、ネットワークは、ユーザのグループが一緒に移動していることをより速く検出することができる。
【００７８】
グループ・シグナリング・トラフィック最適化
モビリティ・グループが形成された後、モビリティ管理関連シグナリングを最適化することができる。これに関連して、本発明の一実施の形態によれば、モビリティ管理エンティティは、モビリティ・グループへのメンバーシップについてモビリティ・グループ・メンバーに通知する。これは、例えば、モビリティ・グループＩＤを含み、オプションで、グループの位置エリアを更新するために、どのグループ位置エリア更新手順が使用されることになるかを指定するグループ位置エリア登録確認メッセージによって達成することができる。
【００７９】
グループ位置登録機構
グループ位置エリア更新手順では、異なる機構が可能である。本発明の一実施の形態によれば、ネットワーク内の事前に構成されたトラッキング・エリア登録端末が使用されるか、又はモビリティ管理エンティティは、プロキシ・トラッキング・エリア登録端末を動的に選択することができる。従って、この例示的な実施の形態では、端末のグループに対するトラッキング・エリアが変更された場合、常に、モビリティ・グループ内の同じ端末がグループ位置エリア登録メッセージを送信する。
【００８０】
事前に構成されたプロキシ・トラッキング・エリア登録端末を使用する位置エリア登録手順の一例は、信頼ネットワーク・オペレータ又は制御エンティティの使用に関する例示的な実施の形態とすることが可能であり、ここでＲＦＩＤシステムは、ネットワーク・オペレータ制御／信頼エンティティの近隣にある端末の識別子を「集める」ためのものである。位置エリア内のモバイル端末のうちの１つを、上記のようなオペレータ信頼エンティティとすることもできる。
【００８１】
この例示的シナリオでは、この指定された特別の端末が、グループ・メンバーの代表として、モビリティ・グループＩＤを備えたグループ位置エリア登録メッセージを送信する。サービス提供モビリティ管理エンティティは、このグループ位置エリア登録を受け取った場合、モビリティ・グループ内の端末のすべてのモビリティ管理関係コンテキスト情報を更新する。
【００８２】
モビリティ管理エンティティは、さらに、モビリティ・グループ・メンバーがモビリティ・グループへの変更を検出できるようにするために、すべての端末への正しい登録を確認することができる。例えば、モバイル端末が、それが属するモビリティ・グループに対して登録された位置エリア内に配置されていないことを認識した場合、グループから離れることを決定することができ、同様に、位置エリアの更新時にグループ・メンバーでパケット損失を検出した場合、それぞれのグループ・メンバーは、モビリティ・グループを離れるか、又は変更することができる。
【００８３】
従ってモビリティ管理エンティティは、コンテキスト情報が更新された後に、グループ位置エリア登録確認メッセージをモビリティ・グループ端末に送信する。これは、例えば（マルチキャスト）モビリティ・グループＩＤを使用して、単一のマルチキャスト・メッセージをグループ内のすべての端末に送信することによって実現可能である。このため、グループ内のすべての端末が、グループＩＤ宛にアドレス指定されたメッセージに関するブロードキャスト／マルチキャスト・チャネルを聴取している。それ故、（グループ位置登録機構とは独立に）あらゆる端末は、位置エリアの変更を認識した後に、タイマを開始することが可能であり、端末がグループ位置エリア登録確認を受け取らない場合、例えば、タイマの満了まで、それに応答してモビリティ・グループから端末を除去するべきであるモビリティ管理エンティティに、通常の位置エリア登録メッセージを独自で送信することができる。
【００８４】
１つ又はいくつかの端末が新しい位置エリアに移動し、グループ位置エリア登録確認を受け取らない場合、これらの端末は通常の位置エリア登録を送信することができる。この場合、モビリティ管理エンティティが変更されている場合、新しいモビリティ管理エンティティはモビリティ・グループに気付かず、端末ＩＤと共にコンテキスト要求を古いモビリティ管理エンティティに送信することになる。この要求に応答して、古いモビリティ管理エンティティは、端末のコンテキストを要求側モビリティ管理エンティティに転送し、端末をモビリティ・グループから除去することができる。
【００８５】
指定された特別な端末が、位置エリア変更後、グループ位置エリア登録を実行するが、モビリティ・グループ内の１つ又はいくつかの端末が移動していない場合、グループ位置エリア登録確認が、新しい位置エリア内のみのブロードキャスト／マルチキャスト・チャネルで送信されるケースでは、それらはグループからの退出が検出できない。従って、本発明の一実施の形態では、グループ位置エリア登録確認は、古い位置エリア内のブロードキャスト／マルチキャスト・チャネルでも送信される。このシナリオで、モビリティ・グループのモビリティ管理エンティティも変更された場合、新しいモビリティ管理エンティティは、モビリティ・グループのコンテキスト情報を取り出すため、及びさらに古い位置エリア内でグループ位置エリア登録確認を開始するために、コンテキスト要求メッセージを古いモビリティ管理エンティティに送信することができる。古い位置エリア内の端末がグループ位置エリア登録確認メッセージを受け取り、その位置がグループの位置と異なることを認識した場合、端末は通常の位置エリア登録メッセージを送信することができる。その後、古いモビリティ管理エンティティは、モビリティ・グループからモバイル端末を除去すること、又は新しいモビリティ管理エンティティにコンテキスト要求メッセージを送信することによって、モビリティ・グループからの端末の除去をトリガすることができる。
【００８６】
グループ・メンバーの移動によって、古いモビリティ管理エンティティが必要に応じて新しいモビリティ管理エンティティへコンテキスト要求を中継することが必要な場合がある異なる新しいモビリティ管理エンティティによってサービスが提供されるいくつかの位置エリアにわたって端末を分散させることが可能である。
【００８７】
本発明の他の実施の形態に従った動的プロキシ・トラッキング・エリア登録端末を使用する位置エリア登録手順に関する他の例は、モビリティ管理エンティティが、グループを代表してグループ位置エリア登録メッセージを送信することになる１つの端末を、モビリティ・グループから決定することによって実現することができる。例えば、ある一定の期間（所与の又は構成可能な時間枠、グループを離れるまで、など）、グループの位置エリアを更新するように、モビリティ・グループの端末を指定することができ、この期間が経過した後、モビリティ・グループの他の端末を決定することができる。
【００８８】
本発明の他の実施の形態に従った動的グループ位置エリア更新手順に関する他の機構は、ブロードキャスト／マルチキャスト・ランダム遅延機構を使用することである。モビリティ・グループのサイズに依存可能な最大遅延値が、グループ・メンバーシップ・メッセージ内でモビリティ管理エンティティからモビリティ・グループの端末へと送信され、任意の端末がグループ位置エリア登録メッセージをランダムに送信することができる。位置エリアを変更した後、すべての（又は選択した）モビリティ・グループ端末が、ランダム・タイマを開始しており、ブロードキャスト／マルチキャスト・チャネルを聴取している。それぞれの端末のタイマが満了し、ブロードキャスト／マルチキャスト・チャネル上でグループ位置エリア登録メッセージを（すでに）送信した端末が他にない場合、それぞれの端末は、ブロードキャスト／マルチキャスト・チャネルを介して、サービス提供モビリティ管理エンティティへグループ位置エリア登録メッセージを送信する。
【００８９】
また、本発明のこの実施の形態では、モビリティ管理エンティティは、モビリティ・グループのすべての端末に対して確認メッセージを送信／マルチキャスト／ブロードキャストすることによって、登録を確認することができる。
【００９０】
モビリティ管理エンティティが、異なる位置エリアを示すモビリティ・グループの複数の端末から位置エリア登録メッセージを受け取った場合、モビリティ管理エンティティは、少なくとも１つの端末がグループを離れたことはわかるが、どの端末がグループから離れたかはわからない。この問題を解決するための１つのオプションは、グループ位置エリア確認メッセージをすべての登録位置エリアに送信すること、及び関連するモビリティ・グループ内のすべての端末（オプションで、１つの位置エリア内の端末を除く）に、本明細書で前述したような従来の位置エリア登録手順を実行するように要求することである。従来の位置エリア登録（例えば、拡張ＵＭＴＳシステムにおけるいわゆるトラッキング・エリア登録）を受け取った場合、モビリティ管理エンティティは、ある位置エリア内にどの端末が一緒に配置されているかを再度知り、その位置エリアの端末を、それぞれ新しいグループＩＤを有する新しいモビリティ・グループに割り当てることができる。
【００９１】
ブロードキャスト／マルチキャスト・チャネル上でグループ位置エリア登録メッセージを受け取るモビリティ・グループの端末は、登録メッセージ遅延タイマをキャンセルし、グループ位置エリア確認メッセージを待つための他のタイマを開始することになる。登録メッセージ自体が受け取られない場合、モビリティ管理エンティティから登録確認が受け取られた後、遅延タイマは（依然として実行中であれば）キャンセルされる。タイマのうちの１つが満了するまでグループ位置エリア確認メッセージが受け取られない場合、端末は、グループ位置エリア登録メッセージを再度送信することになる。
【００９２】
上記、本発明の例示的実施の形態では、モビリティ・グループ内のモバイル端末はアイドル・モードとする（例えば、ＵＭＴＳでは、端末は無線ネットワークに接続されるが、無線ベアラは確立されていない）ことができ、グループ位置エリア登録は位置エリアが変更された場合に送信されるのみである。
【００９３】
モビリティ・グループの端末がアクティブ・モードである（例えば、ＵＭＴＳでは、端末は接続され、無線ベアラが確立される）場合、上記の異なる実施の形態に従ってグループ・モビリティ機構を更に最適化することができる。この例示的シナリオでは、アクティブ・モードの端末に関して取得されたモビリティ情報を評価することによって、グループのモビリティを追跡することができる。アクティブ・モードでは、例えば、アクティブな端末の位置は、例えば、無線ネットワーク内の無線セル・レベルなどのより精度の高いモビリティ管理エンティティによって知ることができる。従って、モビリティ・グループ内の端末がページングされる必要がある場合、位置エリアのすべての無線セルの代わりにアクティブ端末が配置された無線セル内の端末をページングすることのみが必要な場合がある。従って、この情報の例示的な実施の形態では、アクティブな端末が別の無線セルに移動するごとに、モビリティ管理エンティティ内のモビリティ・グループの位置に関するモビリティ関連コンテキスト情報を更新することができる。
【００９４】
モビリティ・グループ内の複数の端末がアクティブ・モードである場合、本発明の他の実施の形態によれば、いくつかのシグナリング・メッセージ、例えば、古いｅＮｏｄｅＢから新しいｅＮｏｄｅＢへのパスの切り替えのような位置更新などを集約し、それによってモビリティ管理を最適化することができる。
【００９５】
これまでの様々な実施の形態の説明から理解されるように、グループ・モビリティ手順は、通信ネットワーク内の（及び無線インタフェースを介した）モビリティ関連シグナリングを削減することができ、さらに、端末の電力消費を低減することもできる。
【００９６】
グループ・モビリティ・シグナリング手順
図３は、本発明の例示的な実施の形態に従った、進化した３ＧＰＰシステムにおいてモビリティ管理グループを形成するための例示的シグナリング手順を示す。
【００９７】
最初に、端末ＵＥ２０７、２０８、及び２０９（端末の番号は単なる例示である）はまだモビリティ・グループに関連付けられていないものと想定することができる。ＭＭＥ／ＵＰＥ２０２によってサービスが提供される位置エリアに入ると、それらはそれぞれＭＭＥ／ＵＰＥ２０２に位置エリア登録メッセージを送信する３０１。位置エリア登録メッセージは、それぞれのＵＥのＵＥ識別子（例えば、ＵＥの一時又は永続ＩＤ）と、新しい位置エリアとを備えることができる。オプションで、位置エリア登録メッセージは、古いＭＭＥ／ＵＰＥ及び／又は古い位置エリアも備えることができ、これは、図５を参照しながら以下で概説するサービス提供ＭＭＥ／ＵＰＥの変更を含む位置更新の場合に有利な場合がある。
【００９８】
ＭＭＥ／ＵＰＥ２０２は、とりわけ、永続識別及び最新の位置エリアへのＵＥ識別子のマッピングを含む各端末に関するコンテキスト情報を（作成及び）格納すること３０２ができる。ユーザ・プレーン・エンティティの変更により、ユーザ・プレーン・ルートの変更があった場合、ＭＭＥ／ＵＰＥ２０２は、それぞれのＵＥへのデータのルーティングを更新するように、それぞれのＵＥに対するＡＳ間アンカー２０１を使用したユーザ・プレーン・ルート構成手順を実行すること３０３ができる。初期には、後のある時点でグループ・ユーザ・プレーン更新を実行する場合（例えば、図５の５０４を参照のこと）、ＡＳ間アンカー２０１でＵＥ２０７、２０８、及び２０９に対してそれぞれのルーティング・コンテキストが確立され、更新可能なように、ＵＥに対するルーティングを個別に構成することが有利な場合がある（しかし、必須ではない）ことに留意されたい。
【００９９】
ルーティングが首尾よく構成されると、ＭＭＥ／ＵＰＥ２０２は、登録メッセージを送信したあらゆる端末に位置エリア登録確認メッセージを送信することによって、位置エリア更新を確認すること３０４ができる。
【０１００】
次に、ネットワーク、この例示的な実施の形態ではＭＭＥ／ＵＰＥ２０２は、ＵＥ２０７、２０８、及び２０９が一緒に移動していることを検出すること３０５ができ、ネットワーク内の制御シグナリングを削減するためにグループ・モビリティ手順を利用することを決定する。本明細書で前述したように、モバイル端末がネットワークを介して一緒に移動することを検出するための様々な機構を使用することができる。従って、ＭＭＥ／ＵＰＥ２０２は、モビリティ・グループに割り当てられたモビリティ・グループに関するＵＥ２０７、２０８、及び２０９に、グループＩＤを割り当てる３０６。さらに、ＭＭＥ／ＵＰＥ２０２は、グループ位置更新要求又はモビリティ・グループ・メンバーのコンテキストを他のＭＭＥ／ＵＰＥに転送するための要求を受信した際に、モビリティ・グループＩＤによってモビリティ・グループのＵＥを識別できるように、情報と、モビリティ・グループＩＤとグループ・メンバーのＵＥ識別子の間の関係とを、グループ・モビリティ・コンテキスト内に格納することが可能であるか、又は割り当てられたモビリティ・グループＩＤをグループ・メンバーの個々のＵＥコンテキスト内に格納する。
【０１０１】
ＭＭＥ／ＵＰＥ２０２は、モビリティ・グループについて、及びグループに割り当てられているＵＥについて、ＡＳ間アンカー２０１に通知すること３０７ができる。ＭＭＥ／ＵＰＥ２０２とＡＳ間アンカー２０１との間のシグナリングにおいて、ＭＭＥ／ＵＰＥ２０２は、モビリティ・グループに割り当てられたモビリティ・グループＩＤと、グループに属するＵＥのＵＥ識別子とを含むことができる。ＡＳ間アンカー２０１は、モビリティ・グループに関するユーザ・プレーン・ルートの更新時にモビリティ・グループＩＤを解決できるように、情報と、モビリティ・グループＩＤとグループ・メンバーのＵＥ識別子の間の関係とを格納することになる。
【０１０２】
さらに、ＭＭＥ／ＵＰＥ２０２は、モビリティ・グループへのそれらの割り当てについて、並びに今後の位置更新のためにグループ・モビリティ手順を実行すべきであることをＵＥ２０７、２０８、及び２０９に通知すること３０８もできる。これは、例えば、モビリティ・グループ内のすべてのＵＥにグループ位置エリア登録確認メッセージを送信することによって実施することができる。グループ位置エリア登録確認メッセージは、モビリティ・グループのＵＥに、（例えば、本明細書の上記で概説したように）グループ位置更新に関する特定の機構を使用するように指示するために、例えば、最大ランダム遅延値などの関連付けられた他のパラメータと共に、割り当てられたグループＩＤと、オプションでグループ更新手順とを含むことができる。
【０１０３】
次に、モビリティ・グループ・メンバーの位置エリア変更時のシグナリングについて概説する。図４は、本発明の例示的な実施の形態に従った、進化した３ＧＰＰシステムにおけるモビリティ管理エンティティの変更のないグループ位置更新の例示的シグナリング手順を示す。
【０１０４】
位置エリアの変更４０１時に、モビリティ・グループの端末のうちの１つ（例えば、上記のような、事前に構成されたトラッキング・エリア登録端末、又はランダム遅延機構によって指定されたＵＥ）は、モビリティ・グループを代表して、グループ位置エリア登録メッセージをＭＭＥ／ＵＰＥ２０２に送信する４０２。このグループ位置エリア登録メッセージは、専用チャネルを介して、又はブロードキャスト／マルチキャストを介して送信することができ、その結果、モビリティ・グループ内の他の端末が登録メッセージを受信できるようになり、これはランダム遅延機構を使用する場合に有利な場合がある。従って本発明の実施の形態によれば、チャネル・タイプ、すなわち指定されたマルチキャスト又はブロードキャストは、オプションでグループ位置エリア登録確認に指定されるように（図４を参照のこと）、使用されるグループ位置更新手順に依存する場合がある。
【０１０５】
グループ位置エリア登録メッセージを受け取ると、ＭＭＥ／ＵＰＥ２０２はモビリティ・グループ・メンバーの位置エリアを更新し４０３、グループ位置エリア登録確認をグループ・メンバーに送信すること４０４によって、更新を確認することができる。この確認は、例えば、ブロードキャスト／マルチキャストを介してモビリティ・グループのＵＥに提供することができるため、１つの確認メッセージのみが必要である。
【０１０６】
モビリティ・グループのメンバーによって送信されるグループ位置エリア登録メッセージは、ＭＭＥ／ＵＰＥ２０２が、モビリティ・グループ・メンバーを決定すること、及び示されたモビリティ・グループに属するＵＥのＵＥコンテキスト内の位置エリアを更新することを可能にするために、モビリティ・グループＩＤ及び（新しい）位置エリアを含む。
【０１０７】
さらに、グループ位置エリア登録メッセージは、オプションで、古いＭＭＥ／ＵＰＥの識別を含むことができ、これは、モビリティ・グループ・メンバーが新しい位置エリアに移動する際に、サービス提供ＭＭＥ／ＵＰＥ変更の場合に実行することができる。この後者のケースについて、以下で詳細に説明する。図５は、本発明の例示的な実施の形態に従った、進化した３ＧＰＰシステムにおけるモビリティ管理エンティティの変更を伴うグループ位置更新の例示的シグナリング手順を示す。
【０１０８】
図４のステップ４０１及び４０２並びに図５のステップ５０１及び５０２は、本質的に同様である。唯一の相違点は、ステップ５０２では、グループ位置エリア登録メッセージがＭＭＥ／ＵＰＥ２０３へと送信されることであり、すなわち位置エリアを変更した場合、新しいＭＭＥ／ＵＰＥがモビリティ・グループにサービスを提供する。
【０１０９】
グループ位置エリア登録メッセージに示された未知のモビリティ・グループＩＤに基づいて、及び／又は古いＭＭＥ／ＵＰＥの識別子又はグループ位置エリア登録メッセージ内の以前の位置エリアのインジケーションに基づいて、ＭＭＥ／ＵＰＥ２０３は、ＭＭＥ／ＵＰＥがモビリティ・グループを変更したことを認識する。従って、グループ位置エリア登録メッセージ内で古いＭＭＥ／ＵＰＥが明示的に言及されない場合、ＭＭＥ／ＵＰＥ２０３は、この例示的な例ではＭＭＥ／ＵＰＥ２０２であると想定される以前のＭＭＥ／ＵＰＥを解決することになる。
【０１１０】
モビリティ・グループに対するＭＭＥ／ＵＰＥが変更された場合、新しいＭＭＥ／ＵＰＥ２０３は、グループ・メンバーのＵＥコンテキストと、さらにオプションで、古いＭＭＥ／ＵＰＥ２０２からのモビリティ・グループに関するコンテキスト情報とを要求する５０３。要求された情報を識別するために、グループ位置エリア登録メッセージ内のモビリティ・グループＩＤが、このコンテキスト要求に含められる。これに応答して、ＭＭＥ／ＵＰＥ２０２は、要求されたＵＥコンテキストと、オプションで追加のモビリティ・グループ関連コンテキスト情報とを、新しいＭＭＥ／ＵＰＥ２０３へと転送する５０４。
【０１１１】
さらに例示のために、図３から図５に関する実施の形態では、モビリティ管理エンティティ及びユーザ・プレーン・エンティティが、それぞれＭＭＥ／ＵＰＥ２０２又は２０３内に配置されることが想定される。この例示的構成において、モビリティ管理エンティティの変更はユーザ・プレーン・エンティティの変更も意味するため、ＭＭＥ／ＵＰＥ２０３は、モビリティ・グループ・メンバーに向けて送られるデータに関するルートを更新するために、モビリティ・グループＩＤを含むユーザ・プレーン・ルート（再）構成メッセージをＡＳ間アンカー２０１へと送信する５０５。ＡＳ間アンカー２０１は、グループ・メンバーを識別するためにモビリティ・グループＩＤを解決し、モビリティ・グループ・メンバーのＵＥコンテキスト内のルーティング情報を更新する。さらに、ＡＳ間アンカー２０１はユーザ・プレーン・ルートの更新を確認することができる。
【０１１２】
次に、ＭＭＥ／ＵＰＥ２０３は、図４のステップ４０４に関して説明したように、グループ位置エリア登録確認メッセージをグループ・メンバーに送信すること５０６によって、モビリティ・グループに関する位置更新を確認する。
【０１１３】
本発明のある例示的な実施の形態では、ＲＦＩＤシステムを使用したグループ検出が提案され、すなわちモバイル端末のＲＦＩＤは、例えば、鉄道の駅の入口でスキャンされる。駅に入った後、すべての端末は同じ方向に移動しない可能性があるため、送信されるこの情報は、一緒に移動するグループを事前に検出するにはおそらく十分でない可能性がある。それ故、追加の手段が必要であることが予測できる。ＲＦＩＤベースでのグループ検出を改善するためのオプションの１つは、次のトラッキング・エリア登録メッセージがそれぞれの端末から受け取られるまで待機することとすることができる。その後、同じトラッキング・エリアへの登録を送信するすべての端末をまとめてグループ化することができる。
【０１１４】
他の可能性は、列車の駅に入った時点（及びＲＦＩＤトランシーバからそれらのＩＤを受け取った時点）で、モバイル端末をグループ化すること、及びそれらにグループへのメンバーシップについて通知することとすることができる。その後、プロキシ・トラッキング・エリア登録端末が使用される場合、プロキシ・トラッキング・エリア登録端末と同じトラッキング・エリア内にないすべての端末は、ブロードキャスト／マルチキャスト・グループ位置エリア登録確認メッセージを受信せず、トラッキング・エリア登録メッセージを送信することになる。その後、ＭＭＥ／ＵＰＥは、新しいモビリティ・グループＩＤと共に、新しいモビリティ・グループへのメンバーシップに関して端末に通知することができる。
【０１１５】
ブロードキャスト／マルチキャスト・ランダム遅延機構が使用される場合、グループ位置登録手順の項で端末が前述したグループを離れたシナリオと類似の手順とすることができる。
【０１１６】
ＲＦＩＤのスキャンにより、たとえモバイル・ホーム・オペレータとは異なる他のシステムであっても、端末のモビリティを追跡できるようになる。本発明の実施の形態に従ってこの問題を克服する可能性の１つが、ＲＦＩＤスキャン中に変更可能な識別を送信することである。例えば、ネットワークの接続又は登録時にＭＭＥ／ＵＰＥから端末に割り当てられた一時識別の１つを、ＲＦＩＤスキャン中に使用及び送信することができる。
【０１１７】
さらに、端末がモビリティ・グループから登録取り消しするか、又はモビリティ管理エンティティによってモビリティ・グループから登録取り消しされる場合、モビリティ管理エンティティは、ＡＳ間アンカーにもこの登録取り消しを通知し、端末が登録取り消しされるモビリティ・グループに関するそのコンテキスト情報をＡＳ間アンカーが更新できるようにすることができる。例えば、モビリティ管理エンティティは、ＡＳ間アンカーへの登録取り消しメッセージにＵＥ識別子及びモビリティ・グループＩＤを含めることができる。いくつかの端末が登録取り消しされる場合、登録取り消しメッセージはいくつかのＵＥ識別子及びモビリティ・グループＩＤを含むことができる。
【０１１８】
ここまで、上記の本発明のほとんどの実施の形態について、本発明をセルラ式ネットワーク環境で使用することに関して概説してきた。しかし、本明細書で説明した様々な機構はセルラ式ネットワークに限定されず、例えば、「背景技術」の項で論じたようなモバイルＩＰに基づくモビリティを実行可能にするネットワークにも適用することができる。モバイルＩＰを使用する場合、位置エリア登録メッセージはバインディング更新（ＢＵ）と等価であり、位置登録確認メッセージはバインディング更新肯定応答（ＢＡＣＫ）と等価である。従って、モバイルＩＰ環境の場合、モビリティ・グループを代表するグループ・バインディング更新（ＧＢＵ）が送信可能であり、グループ・バインディング更新は、例えば、ブロードキャスト又はマルチキャストを介して、グループ・バインディング更新肯定応答（ＧＢＡＣＫ）によって確認することができる。
【０１１９】
メッセージ自体は、モバイルＩＰ端末とホーム・エージェント（ＨＡ）との間で伝送される。
【０１２０】
ＧＢＵ及びＢＡＣＫメッセージのフォーマット化方法には、いくつかの可能性がある。例えば、ＧＢＵは通常のバインディング更新とすることができるが、ホーム・エージェントは、特定ノードからのバインディング更新がモビリティ・グループに関するものであることを知り、その結果としてすべてのグループ・メンバーの気付けアドレス（ＣｏＡ）も変更する必要がある。他の可能性は、ＧＢＵが一般的なＢＵと類似であるが、ＢＵが通常のＢＵ又はＧＢＵのいずれであるかを示す追加のビットを含むことである。他の代替実施態様は、新しいＭＩＰｖ６モビリティ・ヘッダ・タイプ、又はＢＵに関する新しいモビリティ・オプション（グループ更新を示す）の定義とすることができる。同様に、ＢＡＣＫは、すべてのグループ・メンバーのＣｏＡがＨＡによって更新されていることを示す追加ビットによって拡張することもできる。
【０１２１】
セルラ式ネットワーク環境とは対照的に、ＣｏＡが一緒に配置されたＭＩＰｖ６又はＭＩＰｖ４におけるあらゆるモバイル端末は、新しいサブネットへのハンドオーバ後に、新しいＣｏＡを構成しなければならない。このＣｏＡは、各端末によって異なる。ステートレスＣｏＡ構成の場合、ホーム・エージェントが、唯一の端末からＧＢＵに送信されたＣｏＡから他の端末のＣｏＡを導出するための１つの可能性は、ＧＢＵ内のＣｏＡからのプレフィックスと、バインディング・キャッシュに格納された古いＣｏＡからのインタフェース識別子とを連結することによるものである。
【０１２２】
外部エージェントＣｏＡを備えたＭＩＰｖ４の場合、モバイル端末は単独で新しいＣｏＡを構成する必要がない。ここでは外部エージェントのＩＰアドレスがＣｏＡとして使用されるため、ＨＡはすべての端末に同じＣｏＡを使用することができる。
【０１２３】
ＣｏＡを割り当てるために（例えば、ＤＨＣＰによって）ステートフルＩＰアドレス構成が使用される場合、ネットワークはＣｏＡを認識し、それらは集約した形でＨＡに転送することができる。さらにプロキシＭＩＰシナリオでも同様に、ＡＲは集約されたバインディング更新をグループのＨＡに送信することができる。
【０１２４】
ＢＡＣＫを集約するために、グループ内の端末にＩＰマルチキャスト・アドレスを割り当てることができ、ＢＡＣＫはユニキャスト・アドレスの代わりにこのマルチキャスト・アドレスに送信される。
【０１２５】
本発明の他の実施の形態は、ハードウェア及びソフトウェアを使用する上記種々の実施の形態の実施に関する。本発明の種々の実施の形態は、コンピューティング・デバイス（プロセッサ）を使用して実施又は実行することができる。コンピューティング・デバイス又はプロセッサは、例えば、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、又は他のプログラム可能な論理デバイスなどとすることができる。本発明の種々の実施の形態は、これらのデバイスの組み合わせによっても実行又は具体化することができる。
【０１２６】
さらに、本発明の種々の実施の形態は、プロセッサによって、又はハードウェア内で直接実行されるソフトウェア・モジュールによっても実施可能である。ソフトウェア・モジュール及びハードウェア実装の組み合わせも可能である。ソフトウェア・モジュールは、例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤなどの任意の種類のコンピュータ読み取り可能記憶媒体上に格納可能である。
【０１２７】
さらに、本発明の様々な実施の形態の個々の特徴は、個別に、又は任意の組み合わせで、他の発明に対する主題とすることも可能であることに留意されたい。
【図面の簡単な説明】
【０１２８】
【図１】進化した３ＧＰＰシステム・アーキテクチャにおけるトラッキング・エリア更新を示す図である。
【図２】本発明の例示的な実施の形態に従った、通信ネットワーク内で異なる位置エリアを通って移動するモビリティ・グループの例示的グループ位置更新を示す図である。
【図３】本発明の例示的な実施の形態に従った、進化した３ＧＰＰシステムにおいてモビリティ管理グループを形成するための例示的シグナリング手順を示す図である。
【図４】本発明の例示的な実施の形態に従った、進化した３ＧＰＰシステムにおけるモビリティ管理エンティティの変更のないグループ位置更新の例示的シグナリング手順を示す図である。
【図５】本発明の例示的な実施の形態に従った、進化した３ＧＰＰシステムにおけるモビリティ管理エンティティの変更を伴うグループ位置更新の例示的シグナリング手順を示す図である。
【図１】
2009538583.tif 000003
【図２】
2009538583.tif 000004
【図３】
2009538583.tif 000005
【図４】
2009538583.tif 000006
【図５】
2009538583.tif 000007
【国際調査報告】
2009538583.tif 000008
2009538583.tif 000009
2009538583.tif 000010